(57)【要約】【課題】ユーザに効率よく文書を渡すことを可能とする技術を提供することを目的とする。【解決手段】複数の収納部を有する印刷装置であって、排出口にシートがなく、出力対象ジョブの印刷が完了し、出力対象ジョブの画像が印刷されたシートが収納されている収納部がある場合、収納部に収納されているシートを排出口から排出するよう制御する排出制御手段と、シートが収納されていない空きの収納部がある場合、シートの収納先を空きの収納部として出力対象ジョブの画像を印刷するよう制御する印刷制御手段と、を有することによって課題を解決する。【選択図】図７
2016210122.tif 000002
【特許請求の範囲】
【請求項１】
複数の収納部を有する印刷装置であって、
排出口にシートがなく、出力対象ジョブの印刷が完了し、前記出力対象ジョブの画像が印刷されたシートが収納されている収納部がある場合、前記収納部に収納されているシートを前記排出口から排出するよう制御する排出制御手段と、
シートが収納されていない空きの収納部がある場合、シートの収納先を前記空きの収納部として前記出力対象ジョブの画像を印刷するよう制御する印刷制御手段と、
を有する印刷装置。
【請求項２】
前記排出制御手段は、自動出力モードが選択されており、かつ、排出口にシートがなく、出力対象ジョブの印刷が完了し、前記出力対象ジョブの画像が印刷されたシートが収納されている収納部がある場合、前記収納部に収納されているシートを前記排出口から排出するよう制御し、
前記印刷制御手段は、前記自動出力モードが選択されており、かつ、シートが収納されていない空きの収納部がある場合、シートの収納先を前記空きの収納部として前記出力対象ジョブの画像を印刷するよう制御する請求項１記載の印刷装置。
【請求項３】
前記自動出力モードを選択可能な選択画面を表示部に表示する表示手段を更に有する請求項２記載の印刷装置。
【請求項４】
前記排出制御手段は、前記選択画面を介して前記自動出力モードが選択されており、かつ、排出口にシートがなく、出力対象ジョブの印刷が完了し、前記出力対象ジョブの画像が印刷されたシートが収納されている収納部がある場合、前記収納部に収納されているシートを前記排出口から排出するよう制御し、
前記印刷制御手段は、前記選択画面を介して前記自動出力モードが選択されており、かつ、シートが収納されていない空きの収納部がある場合、シートの収納先を前記空きの収納部として前記出力対象ジョブの画像を印刷するよう制御する請求項３記載の印刷装置。
【請求項５】
前記出力対象ジョブを選択可能な選択画面を表示部に表示する表示手段を更に有する請求項１記載の印刷装置。
【請求項６】
前記排出制御手段は、排出口にシートがなく、前記選択画面を介して選択された出力対象ジョブの印刷が完了し、前記出力対象ジョブの画像が印刷されたシートが収納されている収納部がある場合、前記収納部に収納されているシートを前記排出口から排出するよう制御し、
前記印刷制御手段は、シートが収納されていない空きの収納部がある場合、シートの収納先を前記空きの収納部として前記選択画面を介して選択された出力対象ジョブの画像を印刷するよう制御する請求項５記載の印刷装置。
【請求項７】
印刷ジョブを受信する受信手段と、
前記印刷ジョブを保存する保存手段と、
を更に有し、
前記表示手段は、前記保存手段により保存された前記印刷ジョブを出力対象ジョブとして選択可能な前記選択画面を前記表示部に表示する請求項５又は６記載の印刷装置。
【請求項８】
複数の収納部を有する印刷装置が実行する情報処理方法であって、
排出口にシートがなく、出力対象ジョブの印刷が完了し、前記出力対象ジョブの画像が印刷されたシートが収納されている収納部がある場合、前記収納部に収納されているシートを前記排出口から排出するよう制御する排出制御ステップと、
シートが収納されていない空きの収納部がある場合、シートの収納先を前記空きの収納部として前記出力対象ジョブの画像を印刷するよう制御する印刷制御ステップと、
を含む情報処理方法。
【請求項９】
複数の収納部を有するコンピュータに、
排出口にシートがなく、出力対象ジョブの印刷が完了し、前記出力対象ジョブの画像が印刷されたシートが収納されている収納部がある場合、前記収納部に収納されているシートを前記排出口から排出するよう制御する排出制御ステップと、
シートが収納されていない空きの収納部がある場合、シートの収納先を前記空きの収納部として前記出力対象ジョブの画像を印刷するよう制御する印刷制御ステップと、
を実行させるためのプログラム。
【請求項１０】
前記排出制御ステップでは、自動出力モードが選択されており、かつ、排出口にシートがなく、出力対象ジョブの印刷が完了し、前記出力対象ジョブの画像が印刷されたシートが収納されている収納部がある場合、前記収納部に収納されているシートを前記排出口から排出するよう制御し、
前記印刷制御ステップでは、前記自動出力モードが選択されており、かつ、シートが収納されていない空きの収納部がある場合、シートの収納先を前記空きの収納部として前記出力対象ジョブの画像を印刷するよう制御する請求項９記載のプログラム。
【請求項１１】
前記自動出力モードを選択可能な選択画面を表示部に表示する表示ステップを更に実行させる請求項１０記載のプログラム。
【請求項１２】
前記排出制御ステップでは、前記選択画面を介して前記自動出力モードが選択されており、かつ、排出口にシートがなく、出力対象ジョブの印刷が完了し、前記出力対象ジョブの画像が印刷されたシートが収納されている収納部がある場合、前記収納部に収納されているシートを前記排出口から排出するよう制御し、
前記印刷制御ステップでは、前記選択画面を介して前記自動出力モードが選択されており、かつ、シートが収納されていない空きの収納部がある場合、シートの収納先を前記空きの収納部として前記出力対象ジョブの画像を印刷するよう制御する請求項１１記載のプログラム。
【請求項１３】
前記出力対象ジョブを選択可能な選択画面を表示部に表示する表示ステップを更に実行させる請求項９記載のプログラム。
【請求項１４】
前記排出制御ステップでは、排出口にシートがなく、前記選択画面を介して選択された出力対象ジョブの印刷が完了し、前記出力対象ジョブの画像が印刷されたシートが収納されている収納部がある場合、前記収納部に収納されているシートを前記排出口から排出するよう制御し、
前記印刷制御ステップでは、シートが収納されていない空きの収納部がある場合、シートの収納先を前記空きの収納部として前記選択画面を介して選択された出力対象ジョブの画像を印刷するよう制御する請求項１３記載のプログラム。
【請求項１５】
印刷ジョブを受信する受信ステップと、
前記印刷ジョブを保存する保存ステップと、
を更に実行させ、
前記表示ステップでは、前記保存ステップにより保存された前記印刷ジョブを出力対象ジョブとして選択可能な前記選択画面を前記表示部に表示する請求項１３又は１４記載のプログラム。
【発明の詳細な説明】
【技術分野】
【０００１】
本発明は、印刷装置、情報処理方法及びプログラムに関する。
【背景技術】
【０００２】
従来、シートに画像を印刷する印刷装置は、画像が印刷されたシート（印刷物）を印刷後に装置外に排出していた。また、近年では、印刷後すぐに装置外に印刷物を排出するのではなく、一時的に装置内に溜め置く仕組みが提案されている。
特許文献１に記載の印刷装置には、装置内に複数のシート収納部が備えられており、印刷物は何れか１つのシート収納部に一旦収納される。そして、この印刷装置にはユーザを認証する機能が備えられており、複数のシート収納部に収納された印刷物のうち認証されたユーザに対応するものが部分的に装置外に露出するように搬送される。ユーザは、部分的に露出した印刷物を引き抜くことにより、自分の印刷物を受け取ることができる。
このような構成によって、印刷物を他人に見られてしまい機密情報が漏洩することを防止しつつ、ユーザが印刷装置の設置場所に到着するよりも前に印刷を開始することで作業効率を向上させることが可能となっている。
【０００３】
更に、装置外に露出しているシートがユーザに取り除かれたら自動的に次の印刷を開始し、印刷終了後に排出口にシートを露出させる仕組みが提案されている。
特許文献２に記載の印刷装置は、整理券の発行口に出している整理券がユーザに引き抜かれたことを検知して次の整理券の印刷を開始し、印刷した整理券を発行口に送り出す。ユーザは印刷指示することなく整理券を発行口より受け取ることができる。
【０００４】
一方、印刷データを印刷装置内に一旦保存し、同じ印刷データを何度も出力する仕組みも提案されている。
特許文献３に記載の印刷装置は、印刷データを印刷装置内に一旦保存し、別のタイミングでのユーザ操作に従ってその保存されたジョブを出力する。ユーザは何度も出力が必要になる印刷データを印刷装置内に保存しておけば、印刷装置の操作表示部での操作のみで何度も出力することができる。
【先行技術文献】
【特許文献】
【０００５】
【特許文献１】特開２０１３−２２０９０５号公報
【特許文献２】特開平３−１７７９８７号公報
【特許文献３】特開２００６−２９７６３２号公報
【発明の概要】
【発明が解決しようとする課題】
【０００６】
ところで、印刷装置を、例えばパンフレットのような文書を店頭でユーザに任意で持ち去ってもらうための機械（自動パンフレット出力機）として利用することを考える。自動パンフレット出力機が特許文献１のように装置内に収納部を設けるような構成を有しているとする。そして、自動パンフレット出力機が特許文献３のように予め装置内に保存しておいた保存ジョブ（パンフレットの印刷データ）の出力を、特許文献２のように装置外に露出したパンフレット用紙がユーザに取り除かれたタイミングで開始するように制御するとする。この場合、１ページのパンフレットであれば、あるユーザがパンフレットを取り除き、次のユーザがパンフレットを受け取るまでに、次のユーザは１ページ分の印刷時間だけ、待てばよい。しかし、複数ページ（例えば１０ページ）のパンフレットであれば、次のユーザはパンフレットを受け取るのに最大１０ページ分の印刷時間を待つ必要がある。
本発明は、ユーザに効率よく文書を渡すことを可能とする技術を提供することを目的とする。
【課題を解決するための手段】
【０００７】
そこで、本発明は、複数の収納部を有する印刷装置であって、排出口にシートがなく、出力対象ジョブの印刷が完了し、前記出力対象ジョブの画像が印刷されたシートが収納されている収納部がある場合、前記収納部に収納されているシートを前記排出口から排出するよう制御する排出制御手段と、シートが収納されていない空きの収納部がある場合、シートの収納先を前記空きの収納部として前記出力対象ジョブの画像を印刷するよう制御する印刷制御手段と、を有する。
【発明の効果】
【０００８】
本発明によれば、ユーザに効率よく文書を渡すことを可能とする技術を提供することができる。
【図面の簡単な説明】
【０００９】
【図１】印刷装置の断面の一例を示す図である。
【図２】シート収納部の詳細な構成の一例を示す図である。
【図３】シート収納部の斜視図である。
【図４】印刷装置の外観斜視図である。
【図５】印刷装置のハードウェア構成等の一例を示す図である。
【図６】印刷ジョブの受信時の情報処理の一例を示すフローチャートである。
【図７】自動出力モード時の情報処理の一例を示すフローチャートである。
【図８】自動出力モードの選択画面の一例を示す図である。
【発明を実施するための形態】
【００１０】
以下、本発明の実施形態について図面に基づいて説明する。
【００１１】
＜第１の実施形態＞
図１に、印刷装置の断面の一例を示す。図１において、印刷装置１００には、印刷部１０１が収容されている。シート給送部１０２は、印刷部１０１にシートを給送する。定着部１０３は、シートに画像を定着させる。積載部１２４は、印刷装置１００の上面に設けられ、印刷部１０１によって画像が印刷されたシート（印刷物）を積載する。積載部１２４に排出されたシートは、後述する取り出し指示の操作を必要とせずにユーザが取り上げることができる。
シート収納部２０１、２０２、２０３は、印刷部１０１によって画像が印刷された印刷物を収納する３つのシート収納部であり、印刷部１０１と積載部１２４との間に設けられている。シート収納部２０１、２０２、２０３に収納された印刷物は、後述する排出指示操作が行われたことに応じて部分的に装置外に露出するように搬送され、ユーザが引き抜くことができる。なお、ここではシート収納部が３つ備えられている例を示すが、シート収納部の数はこれ以外の数であっても良い。
印刷部１０１は、図１中で時計回りに回転する感光体ドラム１１１、露光装置１１３、感光体ドラム１１１の回転方向に沿って配設された帯電ローラ１１２、現像装置１１４、転写ローラ１１５を有している。これらの部材を用いて、印刷部１０１は、シート上にトナー像を形成する。
【００１２】
シート給送部１０２は、印刷に用いられるシートが複数枚、積層状態で収納されている給紙カセット１０５、給紙ローラ１０７、搬送ガイド１０９、レジストレーションローラ１１０等を有している。定着部１０３は、定着ローラ１１６、この定着ローラ１１６に下方から当接された加圧ローラ１１７、搬送ローラ１１８、を有している。印刷部１０１と、定着部１０３と、給紙カセット１０５との間には、シートの表裏両面に画像を印刷する場合に使用されるシートの再搬送通路１２６が設けられている。
搬送ローラ２０４は、第１のシート収納部２０１にシートを搬送するための搬送ローラである。同様に、搬送ローラ２０５は、第２のシート収納部２０２にシートを搬送するための搬送ローラである。搬送ローラ２０６は、第３のシート収納部２０３にシートを搬送するための搬送ローラである。
搬送路切り替え部材１２０は、図１にて実線で示した第１の位置と、破線で示した第２の位置とに切替え可能な搬送路切り替え部材である。搬送路切り替え部材１２０は、図１中の実線の位置と破線の位置にアクチュエータによって切り替え可能な構成となっている。搬送ローラ１２１及び１２３は、正逆転可能に設けられ、正回転することでシートを積載部１２４に排出し、逆回転することでシートを再搬送通路１２６へ向けて搬送するローラである。
【００１３】
シートを積載部１２４に向けて搬送する場合には、搬送路切り替え部材１２０が破線で示した位置に切り替えられ、シートは搬送ローラ１２１により排出ガイド１２２に沿って搬送され、反転ローラ１２３により、積載部１２４に排出される。
満載検知レバー１２５は、積載部１２４に積載されているシートの満載を検知する満載検知レバーである。満載検知レバー１２５により、シートが満載であることが検知されると、後述する制御部５０１は、積載部１２４上のシートが取り除かれるまで印刷を行わないように制御する。
また、シートの両面に画像が印刷される場合には、一方の面（表面）にトナー像が定着されたシートが反転ローラ１２３に向かって搬送される。そして、シートの後端が分岐部１２７を抜けた後、搬送ローラ１２１及び反転ローラ１２３を逆転させることで、シートはスイッチバックされ、再搬送通路１２６を通過して、印刷部１０１に再搬送される。
【００１４】
シートをシート収納部２０１、２０２、２０３に向けて搬送する場合には、搬送路切り替え部材１２０が実線で示した位置に切り替えられ、シートは搬送路１２８を通ってシート収納部２０１、２０２、２０３に搬送される。第１の切り替え部材２１１と第２の切り替え部材２１２とは、それぞれシートが搬送される経路を切り替える切り替え部材である。第１の切り替え部材２１１及び第２の切り替え部材２１２は、図１中の実線の位置と破線の位置とにアクチュエータによって切り替え可能な構成となっている。
第１のシート収納部２０１にシートを搬送する場合には、図１中の実線にて示された位置に第１の切り替え部材２１１と第２の切り替え部材２１２とがそれぞれ切り替えられ、保持される。そして画像が印刷されたシートは、搬送路１２８、搬送ガイド２０７、２０８の順に通過し、更に搬送ローラ２０４によって、第１のシート収納部２０１にフェイスダウン状態、即ちトナー像が印刷された面を下方に向けた状態で収納される。
第２のシート収納部２０２にシートを搬送する場合には、第１の切り替え部材２１１が図１中の実線にて示された位置に、第２の切り替え部材２１２が破線で示された位置にそれぞれ切り替えられ、保持される。そして画像が印刷されたシートは、搬送路１２８、搬送ガイド２０７、２０９の順に通過し、更に搬送ローラ２０５によって、第２のシート収納部２０２にフェイスダウン状態、即ちトナー像が印刷された面を下方に向けた状態で収納される。
第３のシート収納部２０３にシートを搬送する場合には、第１の切り替え部材２１１が図１中の破線にて示された位置に切り替えられ、保持される。そして画像が印刷されたシートは、搬送路１２８、搬送ガイド２１０の順に通過し、更に搬送ローラ２０６によって、第３のシート収納部２０３にフェイスダウン状態、即ちトナー像が印刷された面を下方に向けた状態で収納される。
【００１５】
シート収納部２０１、２０２、２０３に収納されたシートは、ユーザからの取り出し指示に応じて排出口２３４に搬送される。この搬送の詳細については図２及び図３を用いて後述する。排出口２３４に搬送されたシートは、部分的に装置外に露出した状態で保持され、ユーザによって引き抜かれるのを待つ。部材１０６は、排出口２３４に搬送されたシートがユーザによって引き抜かれたことを検知するための部材である。部材１０６は、シートが排出口２３４に搬送される前（及び、搬送されたシートをユーザが引き抜いた後）は図１中の実線の位置にあり、シートが排出口２３４に搬送されてユーザによる引き抜きを待っているときには破線の位置にある。なお、ここではシート収納部２０１、２０２、２０３に共通のものとして１つの排出口２３４を備える例を用いて説明したが、シート収納部毎に専用の排出口をそれぞれ備えるようにしても良い。
【００１６】
次に図２を用いて、シート収納部の詳細な構成について説明する。印刷装置１００は、複数のシート収納部２０１、２０２、２０３が上下に積み重ねられた状態で備えられている。それぞれのシート収納部の構成は同じであり、ここでは、第１のシート収納部２０１の構成について説明する。
搬送ローラ２０４により第１のシート収納部に搬送されたシートは、積載面２３１に一時的に積載されて収納される。制御部５０１は、シート有無検知部等により、積載面２３１上にシートが載置されているか否か（シート収納部が空いているか否か）が検知可能である。押し出し部材２３３は、収納されているシートの搬送方向上流端部（後端部）を押して、シートの搬送方向下流端部（先端部）の一部を排出口２３４から装置外に露出させる部材である。シートは、押し出し部材２３３により排出口２３４に押し出されることにより、ユーザが引き抜くことができる。押し出し部材２３３によって装置外に露出する部分のシート長さは３０ｍｍであるものとするが、ユーザがシートを掴むことが可能であって、かつ、シートが自重で抜け落ちてしまわない長さであればこれに限らない。
【００１７】
印刷装置１００のシート収納部２０１、２０２、２０３には収納可能なシートの枚数やサイズに制限が設けられている。より具体的には、１つのシート収納部には普通紙で一度に１５枚までしか収納できない。シート収納部におけるシートの満載は満載検知レバー２３５を用いて検知されるようになっており、普通紙よりも厚みのあるタイプのシートを用いる場合は収納可能な枚数が少なくなる場合がある。満載検知レバー２３５により、シートが満載であることが検知されると、後述する制御部５０１は、シートが満載であるシート収納部からシートが取り除かれるまで印刷を行わないように制御する。印刷装置１００は、満載検知レバー２３５を備える代わりに、シートを１枚収納する毎に収納済みのシート枚数をカウントアップし、１５枚に達したときに収納（印刷）を制限するように構成しても良い。また、上限枚数は１５枚でなくても良い。
また、印刷装置１００のシート収納部２０１、２０２、２０３にはＡ４サイズ以下の大きさのシートが収納可能である。Ａ４サイズよりも大きなサイズ（Ｂ４、Ａ３など）のシートは、積載部１２４には積載可能であるが、印刷装置１００のシート収納部２０１、２０２、２０３に収納することはできない。
押し出し部材２３３は、第１のシート収納部２０１にシートが収納される際には、シートの搬送及び積載を邪魔しない図２中にて実線で示される積載位置に位置している。一方、収納されているシートを押し出す際には、シート排出方向に沿って排出口２３４に向かって移動し、破線で示される押し出し位置（シート排出位置）へと移動する。その後、シートがユーザによって引き抜かれたことが部材１０６によって検知されると、押し出し部材２３３は積載位置に戻される。
【００１８】
図３（ａ）（ｂ）は、シート収納部２０１の斜視図である。図３（ａ）は、押し出し部材２３３が積載位置にある場合を示し、図３（ｂ）は押し出し位置にある場合を示す。押し出し部材２３３は、シート排出に伴うシートの回転を防止するため、シート幅方向にわたってふたつのシート後端押圧爪２３３ａ及び２３３ｂを有している。シートを押し出す際には、シート後端押圧爪２３３ａ及び２３３ｂがシートの上流端部を押圧してシート排出を行う。押し出し部材２３３は、積載位置と押し出し位置の間をシート排出方向に沿って往復移動する。
図４に、印刷装置１００の外観斜視図を示す。排出口２３４からは、シート収納部２０１、２０２、２０３の何れかから排出されたシート束の下流端部が露出している。ユーザは、装置外に露出した下流端部を掴んでシート束を引き抜くことで自分の印刷物を受け取ることができる。操作表示部３０７は、印刷装置１００に対するユーザからの指示を受け付けると共に、ユーザに対して各種情報を通知するための操作表示部である。
【００１９】
図５は、印刷装置１００のハードウェア構成等の一例を示す図である。ＣＰＵ５０２を含む制御部５０１は、印刷装置１００全体の動作を制御する。ＣＰＵ５０２は、ＲＯＭ５０３に記憶された制御プログラムを読み出して、印刷動作やシート搬送、ジャム処理の制御を行う。ＣＰＵ５０２は、ジャム検知センサ３０６からの情報を基にジャムの検知を行うことができる。ＲＡＭ５０４は、ＣＰＵ５０２の主メモリ、ワークエリア等の一時記憶領域として用いられる。なお、印刷装置１００は１つのＣＰＵ５０２が１つのメモリ（ＲＡＭ５０４）を用いて後述するフローチャートに示す各処理を実行するものとするが、他の態様であっても良い。例えば、複数のＣＰＵや複数のＲＡＭを協働させて各処理を実行するようにすることもできる。
操作表示部Ｉ／Ｆ５０５は、操作表示部３０７と制御部５０１とを接続する。操作表示部３０７は、後述する印刷物の取り出し指示を受け付けるための受付部としての役割と、後述するユーザ認証に必要なユーザＩＤをＩＣカードから読み取るためのカードリーダとしての役割を担う。また、操作表示部３０７は、後述するユーザに対する通知を行うための画面を表示する表示部としての役割を担う。
【００２０】
印刷部Ｉ／Ｆ５０６は、印刷部１０１と制御部５０１とを接続する。印刷部１０１で印刷すべき画像は印刷部Ｉ／Ｆ５０６を介して制御部５０１から転送され、印刷部１０１によりシート上に印刷される。
ネットワークＩ／Ｆ５０７は、印刷装置１００をＬＡＮ（Ｌｏｃａｌ  Ａｒｅａ  Ｎｅｔｗｏｒｋ）５１０に接続する。ＬＡＮ５１０にはクライアントＰＣ６２０が接続されており、クライアントＰＣ６２０にインストールされたプリンタドライバによって生成された印刷ジョブをネットワークＩ／Ｆ５０７が受信する。
ＣＰＵ５０２がＲＯＭ５０３等に記憶されたプログラムに基づき処理を実行することによって、印刷装置１００の機能及び印刷装置１００のフローチャートの処理が実現される。
【００２１】
図６は、印刷装置１００において、クライアントＰＣ６２０から受信した印刷ジョブの情報処理の一例を示すフローチャートである。
Ｓ６０１では、ＣＰＵ５０２は、印刷ジョブを受信したか否かを判定する。ＣＰＵ５０２印刷ジョブを受信したと判定した場合はＳ６０２に進み、印刷ジョブを受信していないと判定した場合は受信するまで待機する。
Ｓ６０２では、ＣＰＵ５０２は、受信した印刷ジョブが保存ジョブかどうかを判定する。印刷装置１００は、保存モードと印刷モードとの二つのモードに応じて処理を実行可能であり、どちらのモードで処理するかを、プリンタドライバが指定することができる。但し、後述するように、印刷装置１００は、保存モードや印刷モード以外のモードに応じて処理を実行ようにしても良い。ＣＰＵ５０２は、モードが保存モードの場合、保存ジョブであると判定し、Ｓ６０３に進み、モードが印刷モードの場合、保存ジョブでないと判定し、Ｓ６０４に進む。
Ｓ６０３では、ＣＰＵ５０２は、受信した印刷ジョブをＲＡＭ５０４又はＲＯＭ５０３等のジョブ保存領域に保存し、次の印刷指示があるまで待機する。なお、ジョブ保存領域は、例えばハードディスク等の記憶装置が印刷装置１００に装着されていれば、その記憶装置内に割り当てるものであっても良い。
一方、Ｓ６０４では、ＣＰＵ５０２は、受信した印刷ジョブを解釈し、所定の印刷動作を実行する。
【００２２】
図７は、印刷装置１００において、自動出力モードに切り替えられたときの情報処理の一例を示すフローチャートである。自動出力モードとは、例えばパンフレットのような文書を店頭でユーザに任意で持ち去ってもらうためのモードである。即ち、印刷出力シートであるパンフレットを排出口に露出させておき、そのパンフレットがユーザにより取り除かれたら次のパンフレットを排出口に露出させるモードである。
Ｓ７０１では、ＣＰＵ５０２は、部材１０６からのシートがユーザによって引き抜かれたか否かの情報等に基づき、排出口２３４に露出したシートがあるかどうかを判定する。ＣＰＵ５０２は、排出口２３４に露出したシートがないと判定した場合、Ｓ７０２に進み、排出口２３４に露出したシートがあると判定した場合、Ｓ７０４に進む。
Ｓ７０２では、ＣＰＵ５０２は、印刷が完了している収納部があるかどうかを判定する。ＣＰＵ５０２は、印刷が完了している収納部があると判定した場合、Ｓ７０３に進み、印刷が完了している収納部がないと判定した場合、Ｓ７０４に進む。
Ｓ７０３では、ＣＰＵ５０２は、印刷が完了している収納部のシートを排出口２３４から排出、又は露出する。Ｓ７０３の処理は、排出制御の処理の一例である。
次に、Ｓ７０４では、ＣＰＵ５０２は、シートが収納されていない収納部があり、またその収納部への印刷が開始されていないかどうかを確認する。ＣＰＵ５０２は、シートが収納されていない収納部があり、その収納部への印刷が開始されていなければ、Ｓ７０５に進み、そうでない場合は、Ｓ７０１に戻る。
Ｓ７０５では、ＣＰＵ５０２は、その収納部を収納先として出力対象のジョブ（図８において後述する出力対象ジョブ）の印刷を開始する。Ｓ７０５の処理は、印刷制御の処理の一例である。
【００２３】
図８は、印刷装置１００において、操作表示部３０７に表示する自動出力モードを選択可能な選択画面の一例を示す図である。画面８００は、自動出力モードを「使う／使わない」を選択するラジオボタンと、出力対象ジョブとして保存ジョブのファイル名を指定するフィールドと、ファイル選択ボタンと、で構成される。ＣＰＵ５０２は、所定の操作に応じて、操作表示部３０７に図８に示す画面８００を表示する。出力対象ジョブとして指定される保存ジョブは、図６のＳ６０３において保存されたジョブのことである。画面８００において、自動出力モードの設定として「使う」が指定されたときには、印刷装置１００のＣＰＵ５０２は、図７のフローチャートに従って動作する。即ち、印刷装置１００は、ユーザＡが排出口からシートを取り除いたあと次の保存ジョブ（例えば、パンフレットの印刷データ）の印刷を待つことなく予め印刷され別の収納部に収納されているシートを排出口に排出する。これにより、あるユーザＡが排出口のシート（例えばパンフレット）を取り除き、別のユーザＢがそのあとすぐに同じパンフレットを受け取りたいときに、ユーザＢは印刷待ちのストレスなく排出口からシートを受け取ることができる。
【００２４】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２５】
以上、本発明の好ましい実施形態について詳述したが、本発明は係る特定の実施形態に限定されるものではない。
【００２６】
以上、上述した各実施形態によれば、ユーザに効率よく文書を渡すことを可能とする技術を提供することができる。
【符号の説明】
【００２７】
１００  印刷装置
１０１  印刷部
５０２  ＣＰＵ
５０３  ＲＯＭ
【図１】
2016210122.tif 000003
【図２】
2016210122.tif 000004
【図３】
2016210122.tif 000005
【図４】
2016210122.tif 000006
【図５】
2016210122.tif 000007
【図６】
2016210122.tif 000008
【図７】
2016210122.tif 000009
【図８】
2016210122.tif 000010